(57)【要約】【課題】  合成樹脂によりボウル部とその周壁部とを形成し、天板部と組み合わせて全体を構成したものにおいて、天板部に水滴が飛散した場合であっても、その水滴をボウル部に伝え易いものとし、しかも、手洗い器の内面の接合部位を目立たないものとして見栄えを損なうことのない埋め込み型手洗い器を提供する。【解決手段】  ボウル部１１と、該ボウル部１１の外縁から立設し断面略Ｕ字形状又は断面略コ字形状の周壁部１２と、該周壁部１２の上端に設けられた取着部１３とを合成樹脂により一体成形して手洗い器本体１を設ける。また、前記取着部１３に取り付けられる被取着部３１を備えた天板部３を設け、天板部３の下面に突部６を設ける。そして、該突部６は、取着部１３と被取着部３１とを接続して天板部３と手洗い器本体１と組み合わせた状態で周壁部１２の内面上縁部の略全長を覆うように形成した。【選択図】        図１
2010227267.tif 000002
【特許請求の範囲】
【請求項１】
ボウル部と、該ボウル部の外縁から立設し断面略Ｕ字形状又は断面略コ字形状の周壁部と、該周壁部の上端に設けられた取着部とを合成樹脂により一体成形して手洗い器本体を設け、前記取着部に取り付けられる被取着部を備えた天板部を設け、天板部の下面に突部を設け、該突部は、取着部と被取着部とを接続して天板部と手洗い器本体と組み合わせた状態で周壁部の内面上縁部の略全長を覆うように形成したことを特徴とする埋め込み型手洗い器。
【請求項２】
前記突部は、該突部の手洗い器本体内方を向く面と天板部の下面とが連続した滑らかな曲面を備えて成る請求項１に記載の埋め込み型手洗い器。
【発明の詳細な説明】
【技術分野】
【０００１】
本発明は、壁内に手洗い器を埋設した埋め込み型手洗い器に関するものである。
【背景技術】
【０００２】
従来から、例えばトイレルーム等の狭い空間に手洗い器を配設するに当たって、壁内に手洗い器本体の一部を埋め込むことで、手洗い器が空間内に占める割合を減らして、狭い空間を有効に活用できる埋め込み型の手洗い器が知られている（例えば、特許文献１参照）。
【０００３】
この埋め込み型手洗い器は、図５に示すように箱形状のキャビネットＡ内に手洗い器Ｃ’を収容し、トイレルームの壁を凹没させてなる凹部内に、この手洗い器Ｃ’を収容したキャビネットＡを埋設することで設置されている。
【０００４】
この手洗い器Ｃ’は、水溜め可能なボウル部１１ａと、ボウル部１１ａの外縁から立設する周壁部１２ａと、周壁部１２ａの上部に設けられてボウル部１１ａ上方を覆う天板部３ａとを一体成形した陶器製のものであり、このように一体成形とすることで、トイレルーム内に露出する手洗い器Ｃ’の前面部においても繋ぎ目を生じさせずに、良好な外観を現出することができるようになっていた。
【先行技術文献】
【特許文献】
【０００５】
【特許文献１】特開平１１−９４７７号公報
【発明の概要】
【発明が解決しようとする課題】
【０００６】
ところで、一般に陶器は親水性が高いものであるため、このような手洗い器Ｃ’を陶器により製造すれば、水垢が付着しやすいという問題がある。
【０００７】
そこでこの点を解消するため、水垢が付着しにくいように撥水性を高めた合成樹脂を使用することが考えられるが、上記のようにボウル部１１ａと周壁部１２ａと天板部３ａとを金型成形により一体成形することは、金型の構造上困難なものとなる。そのためボウル部と周壁部とで構成する手洗い器本体と、天板部とを分割し、パーツ毎に金型により成形した上で各パーツを組み合わせて手洗い器を構成することが考えられた。
【０００８】
しかしながら、このようにパーツごとに成形して各パーツを単に組み合わせるだけであれば、大部分が壁内に埋設される埋め込み型の手洗い器といえど、露出する部位となる天板部と手洗い器本体との内面側の接合部においては、一体性がなく見栄えが低下する。そればかりか、天板部に飛散した水滴は、天板部から周壁部へ伝って移動する際にこの接合部に浸水してしまい、ボウル部に伝わりにくいものとなってしまっていた。
【０００９】
本発明は、上記従来の問題に鑑みてなされたものであり、その目的とするところは、合成樹脂によりボウル部とその周壁部とを形成し、天板部と組み合わせて全体を構成したものにおいて、天板部に水滴が飛散した場合であっても、その水滴をボウル部に伝え易いものとし、しかも、手洗い器の内面の接合部位を目立たないものとして見栄えを損なうことのない埋め込み型手洗い器を提供することにある。
【課題を解決するための手段】
【００１０】
上記課題を解決するために本発明は以下の構成を備えている。
【００１１】
請求項１に係る発明にあっては、ボウル部１１と、該ボウル部１１の外縁から立設し断面略Ｕ字形状又は断面略コ字形状の周壁部１２と、該周壁部１２の上端に設けられた取着部１３とを合成樹脂により一体成形して手洗い器本体１を設ける。また、前記取着部１３に取り付けられる被取着部３１を備えた天板部３を設け、天板部３の下面に突部６を設ける。そして、該突部６は、取着部１３と被取着部３１とを接続して天板部３と手洗い器本体１と組み合わせた状態で周壁部１２の内面上縁部の略全長を覆うように形成した。
【００１２】
このように構成したことで、手洗い器本体１及び天板部３の各パーツをそれぞれ成形し、組み合わせて手洗い器Ｃを構成するものであっても、天板部３に飛散した水滴が周壁部１２を伝ってボウル部１１内に移動する際に、手洗い器本体１と天板部３との間に生ずる手洗い器Ｃ内面の接合部にこの水滴が浸水するのを防ぐことができる。その結果、天板部３に飛散した水滴をボウル部１１内に効果的に導入することができるようになる。
【００１３】
また、請求項２に係る発明にあっては、前記突部６は、該突部６の手洗い器本体１内方を向く面と天板部３の下面とが連続した滑らかな曲面を備えるように構成されている。
【００１４】
このように構成したことで、請求項１に係る効果に加えて、天板部に飛散した水滴をボウル部内により一層効果的に導入することができるようになる。その上、天板部と周壁部とが連続した全体として一体性のある手洗い器とすることができ、見栄えの向上を図ることができる。
【発明の効果】
【００１５】
本発明によれば、手洗い器本体と天板部とをそれぞれ別体で成形して、各パーツを組み合わせるように構成したものにおいても、手洗い器本体と天板部との手洗い器内面における接合部を、天板部に設けた突部によって覆い隠すことができるので、天板部に水滴が飛散した場合であっても、その水滴をボウル部に伝え易いものとすることができ、しかも、当該接合部位を目立たないものとして全体として一体感があって見栄えの良いものとすることができるものである。
【図面の簡単な説明】
【００１６】
【図１】本発明の一実施形態の後方からの分解斜視図である。
【図２】同上の突部を説明するために側壁部の一部のみを抜き出した斜視図である。
【図３】同上の固着具の斜視図である。
【図４】同上の手洗い器をキャビネット内に収容した状態を説明するための図であり、手洗い器に設置される水栓を省略した全体斜視図である。
【図５】従来の手洗い器をキャビネット内に収容した状態の全体斜視図である。
【発明を実施するための形態】
【００１７】
以下、本発明について添付図面に基づいて説明する。
【００１８】
本発明の埋め込み型手洗い器の一例として、本実施形態の埋め込み型手洗い器Ｃはトイレルームの壁面に取り付けられたものである。
【００１９】
本実施形態のトイレルームは、側壁の一部に側方に凹没する凹部を設け、この凹部内に手洗い器Ｃが収容されたキャビネットＡが埋設されている。
【００２０】
本実施形態の手洗い器Ｃは、図１に示すように、手洗い器Ｃの主体をなす手洗い器本体１と、手洗い器本体１の上方を覆う天板部３とを組み合わせることにより構成されている。
【００２１】
手洗い器本体１は、湯水を貯溜することができる椀状のボウル部１１と、ボウル部１１の外縁から立設した周壁部１２と、周壁部１２の上端に設けられた取着部１３とを備えている。
【００２２】
ボウル部１１は給水栓から水が吐出される部分であり、平面視略矩形状に形成されており前縁部は略直線状に形成されている。また、ボウル部１１の底面は断面半円弧状のなだらかな傾斜を有しており、その最低部には排水管に連通する排水口部が設けられている。
【００２３】
周壁部１２は、ボウル部１１の後縁部から上方に向けて連設された後壁部１４と、ボウル部１１の側縁部から上方に向けて連設された側壁部１５とを備え、後壁部１４と側壁部１５とを相互に滑らかに連続させて構成してあり、全体として断面略Ｕ字形状で形成されている。図１及び図４に示すように、後壁部１４の正面視略中央には給水栓を設置するための給水栓設置部１６が設けられている。正面視において手洗い器Ｃの両側にある側壁部１５の前面端部には、手洗い器ＣをキャビネットＡ内に収容した状態で外部に露出し且つ断面略Ｌ字形状の周壁用当接部１７が、周壁部１２の外方に向けて連設されている。図１に示すように、この各周壁用当接部１７には側片１７ａと側壁部１５間を架設するようにして周壁用補強片１８が上下に複数部位に設けられている。さらに、周壁部１２の上端の正面視における両側の前端部（つまり、周壁用当接部１７の上部）には、取着部１３とは別に突起部４が上方に向けて突設してある。
【００２４】
取着部１３は、突起部４の突設された部位を除いた周壁部１２の上縁から、フランジ状のフランジ片１９を外方に向けて突設して構成されている。このフランジ片１９と後述する天板部３には、手洗い器本体１と天板部３とを組み合わせた状態で天板部３とフランジ片１９とを貫通する複数の固着具挿通孔７が穿設されている。
【００２５】
また、周壁部１２の上縁のフランジ片１９の突出基部には、パッキン２１を嵌め込むための収容凹所２０が設けられている。フランジ片１９には複数（本実施形態では２つ）の円筒状の位置決め凸部２２が設けられており、この位置決め凸部２２はキャビネットＡの上板下面に設けた位置決め凹部に挿通されて、キャビネットＡに対する手洗い器Ｃの位置決めを行うことができる。
【００２６】
このように構成された手洗い器本体１は合成樹脂により、ボウル部１１と周壁部１２と取着部１３とが一体的に成形されている。本実施形態における合成樹脂は、アクリル樹脂をベースとした有機ガラスによって成形されている。このようなボウル部１１と周壁部１２と取着部１３とで構成される手洗い器本体１は、金型によって成形するに当たって成形しやすい形状となっている。
【００２７】
このような手洗い器本体１の上端には、上述したように天板部３が載設される。
【００２８】
天板部３は、手洗い器本体１と同様に有機ガラスにより成形されて成るもので、図１に示すように、天面板３５と、天面板３５の前部に設けられた天板用当接部３３とを備えており、これらは一体となって形成されている。
【００２９】
天面板３５は板状のものであり、天面板３５の後縁部には、フランジ片１９から突出する位置決め凸部２２に対して位置決めできるように複数（本実施形態では２つ）の位置決め用切欠３２が設けられる。上述したように天板部３の後部には固着具挿通孔７が穿設されており、この固着具挿通孔７が取着部１３に対して固着される被取着部３１となっている。また、天面板３５の下面には、図２に示すように、天面板３５と手洗い器本体１とを組み合わせたときに、手洗い器本体１の周壁部１２の上端内縁に沿うように連続して設けられた突部６が突設されている。
【００３０】
この突部６は、天板部３と手洗い器本体１とを組み合わせて手洗い器Ｃを組み立てた状態で、周壁部１２の内面の上縁部の略全長を覆うように設けられており、すなわち突部６全体として下面視で略Ｕ字形状又は略コ字形状で形成されている。突部６の周壁部１２側の面は、この周壁部１２と当接又は近接対向するように構成されている（本実施形態では近接対向している）。一方、突部６の周壁部１２側とは反対側の面（すなわち、手洗い器本体１の内方を向く面）には、凹状曲面６１となった曲面が形成されている。この凹状曲面６１は、天板部３の下面と突部６の突出先端とが連続した滑らかな曲面となるように形成されるものであり、天板部３に飛散した水滴がこの凹状曲面６１を伝って周壁部１２に流れ易いようになっている。
【００３１】
天板用当接部３３は、側断面略Ｌ字形状で形成されたものであり、対向する側片３３ａと天面板３５間には周壁用当接部１７と同様に、天板用当接部３３を補強する天板用補強片３４が左右に複数並んで設けられている。また、天板用当接部３３に覆われて前方及び側方から見えない部位には、係止孔５が穿設してある。この係止孔５は、前述した突起部４を挿通することで、手洗い器本体１に対して天板部３を位置決めすることができる。なお、図１に示すように、この係止孔５の周囲は天面板よりもやや厚みを増した厚肉部５１が形成されている。
【００３２】
このように構成された天板部３と手洗い器本体１とを組み立てるに当たっては、以下のようにして行なう。
【００３３】
最初に手洗い器本体１の上端にある突起部４に、天板部３の係止孔５を挿通して位置決めする。このとき、手洗い器本体１と天板部３とを組み合わせる前に、収容凹所２０にパッキン２１を嵌入しておく。そして、突起部４に係止孔５を挿通して周壁部１２及び天板部３との位置決めをすると共に、天板部３の後端縁に設けた位置決め用切欠３２に円筒状の位置決め凸部２２を当接させて、天板部３の後部も位置決めする。
【００３４】
このように位置決めをした上で、取着部１３と天板部３とを固着具７１によって固定して、手洗い器本体１と天板部３とを接合する。本実施形態の固着具７１は、図３に示すように、ねじ頭部７２とワッシャー７３及びナット７４との間に円筒状のスペーサ７５を挟みこんでいる。こうすることで、ねじ軸部のねじ山と固着具挿通孔７の内壁とが直接接触するのを防いでいる。
【００３５】
このとき、この組み合わせた状態の手洗い器Ｃの内面に位置する天板部３と手洗い器本体１との接合部は、天板部３に突設された突部６によって覆われるように構成されている。これにより、手洗い器Ｃの内面の接合部が目立たないものとなり、手洗い器本体１と天板部３との一体感が増し、手洗い器Ｃの見栄えを向上させることができるようになっている。しかも、手洗い器Ｃ内面における天板部３と周壁部１２との接合部が突部６によって覆われているため、この手洗い器１内面における接合部に浸水することがなくなり、つまり、天板部３に飛散した水滴が、天板部３、突部６、周壁部１２と伝ってボウル部１１内に移動しやすいものとなっている。
【００３６】
以上のように構成された手洗い器Ｃは、冒頭で述べたように箱状のキャビネットＡ内に内装される。
【００３７】
このキャビネットＡは、図４に示すように、正面視矩形状の前面が開放するキャビネット本体ａと、キャビネット本体ａの下部に設けられて開閉自在に枢支された扉体ｂとを備えており、上記手洗い器Ｃは給水栓の設置や排水配管などの一部の配管をした上で、扉体ｂの上部に内装される。
【００３８】
キャビネット本体ａの上板の下面には、上述したように、位置決め凹部が形成されている。この位置決め凹部に手洗い器Ｃに設けられた位置決め凸部２２を嵌入して、キャビネットＡに対する手洗い器Ｃの位置が位置決めされる。このとき、キャビネットＡの上板の前端に天板用当接部３３が当接すると共に、キャビネットＡの側板の前端に周壁用当接部１７が当接する。この状態で、キャビネットＡに対して手洗い器Ｃを固着する。
【００３９】
このような手洗い器Ｃを内装したキャビネットＡは、トイレルームの側壁に設けられた凹部内に嵌め込まれて設置される。
【００４０】
以上、本発明の埋め込み型手洗い器をトイレルームに配設されたものに基づいて説明したが、設置場所はトイレルームに限定されるものではない。
【００４１】
なお本実施形態において、周壁部１２の断面形状は略Ｕ字形状としているが、例えば略コ字形状であってもよいのはもちろんのことである。また、上記実施形態は、キャビネット本体ａを介して手洗い器Ｃを配設しているが、キャビネット本体ａを介さずに、壁に直接埋設するようにしてももちろんよい。
【符号の説明】
【００４２】
１      手洗い器本体
１１    ボウル部
１２    周壁部
１３    取着部
１４    後壁部
１５    側壁部
１６    給水栓設置部
１７    周壁用当接部
１７ａ  側片
１８    周壁用補強片
１９    フランジ片
２０    収容凹所
２２    位置決め凸部
３      天板部
３１    被取着部
３２    位置決め用切欠
３３    天板用当接部
３３ａ  側片
３４    天板用補強片
３５    天面板
４      突起部
５      係止孔
６      突部
６１    凹状曲面
７      固着具挿通孔
Ｃ      手洗い器
【図１】
2010227267.tif 000003
【図２】
2010227267.tif 000004
【図３】
2010227267.tif 000005
【図４】
2010227267.tif 000006
【図５】
2010227267.tif 000007